(57)【要約】【課題】消費電力を低減し、給水は熱水や蒸気に対する注意を不要とし、給水自動化を可能とした電気湯沸かし器を提供することを目的とする。【解決手段】湯沸かし容器１と、貯水タンク２０と、湯沸かし容器１の容量に応じて貯水タンク２０より給水する給水手段２３とを備え、貯水タンク２０には、磁石５１を有するフロート５０を設け、貯水タンク２０とは別設の定位置には、フロート５０の磁石５１位置を検出する水位検知手段５２を設けたものであり、必要量の液体のみを湯沸かし容器１にて加熱・保温することで消費電力を低減し、給水は貯水タンク２０に行うことで熱水や蒸気に対する注意が不要となり、水位検知により湯沸かし容器１への給水自動化が可能となる。【選択図】　図１
2004089252.tif 000002
【特許請求の範囲】
【請求項１】
湯沸かしする液体を収容する湯沸かし容器と、湯沸かし容器に供給する液体を収容する貯水タンクと、湯沸かし容器の容量に応じて貯水タンクより給水する給水手段とを備え、前記貯水タンクには、水位に連動して上下動する、磁石を有するフロートを設け、貯水タンクとは別の定位置には、前記フロートの磁石位置を検出する水位検知手段を設けた電気湯沸かし器。
【請求項２】
水位検知手段により検知された貯水タンク内の貯水量に応じて給水手段を制御する制御部を設けた請求項１に記載の電気湯沸かし器。
【請求項３】
貯水タンクは湯沸かし容器側に対し着脱自在とした請求項１に記載の電気湯沸かし器。
【請求項４】
貯水タンクの水位に連動して上下動するフロートは、貯水タンクまたは貯水タンク内の他の部品に案内される請求項１に記載の電気湯沸かし器。
【請求項５】
一つのフロートに対し水位検知手段を複数設けた請求項１に記載の電気湯沸かし器。
【請求項６】
磁力検出手段である水位検知手段はリードスイッチまたはホール素子を用いた請求項１に記載の電気湯沸かし器。
【請求項７】
貯水タンクは湯沸かし容器側に対し着脱自在とし、貯水タンク側に磁石を、湯沸かし容器側に前記磁石の有無を検知する貯水タンク検知手段を設けた請求項１に記載の電気湯沸かし器。
【請求項８】
フロートの磁石位置を検出する水位検知手段が、貯水タンク検知手段を兼ねた請求項７に記載の電気湯沸かし器。
【発明の詳細な説明】
【０００１】
【発明の属する技術分野】
本発明は、湯沸かし容器内の液体を加熱、保温し、器体外へ導出する電気湯沸かし器に関するものである。
【０００２】
【従来の技術】
従来、この種の電気湯沸かし器は、図４のように、湯沸かし容器１０１に必要以上の液体１０２を収容するため、湯沸かし終了後に必要以上の量を保温することがあった。また湯沸かし容器１０１に給水する場合には、蓋体１０３を開け、熱湯中に液体を注ぐものであった。
【０００３】
【発明が解決しようとする課題】
しかしながら、前記従来の構成では、必要量以上の液体を湯沸かし容器１０１湯沸かし・保温するため、消費電力量が多大であり、また湯沸かし容器１０１に液体を注水する場合に、熱水や蒸気に対する注意を要する課題を有していた。
【０００４】
本発明は、前記従来の課題を解決するもので、必要量の液体のみを加熱・保温することで消費電力を低減し、また給水は熱水や蒸気に対する注意を不要とし、さらに湯沸かし容器への給水自動化を可能とした電気湯沸かし器を提供することを目的とするものである。
【０００５】
【課題を解決するための手段】
前記目的を達成するために、本発明の電気湯沸かし器は、湯沸かし容器と、貯水タンクと、湯沸かし容器の容量に応じて貯水タンクより給水する給水手段とを備え、前記貯水タンクには、磁石を有するフロートを設け、貯水タンクとは別設の定位置には、前記フロートの磁石位置を検出する水位検知手段を設けたものである。
【０００６】
これにより、必要量の液体のみを沸かし容器にて加熱・保温し、必要量以外は貯水タンクに備蓄することで消費電力を低減し、また給水は貯水タンクに行うことで熱水や蒸気に対する注意が不要となり、さらに貯水タンクの水位を水位検知手段で検知することにより湯沸かし容器への給水自動化が可能となる。
【０００７】
【発明の実施の形態】
請求項１に記載の発明は、湯沸かしする液体を収容する湯沸かし容器と、湯沸かし容器に供給する液体を収容する貯水タンクと、湯沸かし容器の容量に応じて貯水タンクより給水する給水手段とを備え、前記貯水タンクには、水位に連動して上下動する、磁石を有するフロートを設け、貯水タンクとは別の定位置には、前記フロートの磁石位置を検出する水位検知手段を設けた電気湯沸かし器とすることにより、必要量の液体のみを沸かし容器にて加熱・保温し、必要量以外は貯水タンクに備蓄することで消費電力を低減し、また給水は貯水タンクに行うことで熱水や蒸気に対する注意が不要となり、さらに貯水タンクの水位を水位検知手段で検知することにより湯沸かし容器への給水自動化が可能となる。
【０００８】
請求項２に記載の発明は、水位検知手段により検知された貯水タンク内の貯水量に応じて給水手段を制御する制御部を設けた請求項１に記載の電気湯沸かし器とすることにより、貯水タンクの液体が一定量以下になれば給水手段を停止させ、また給水により貯水タンクの水位が一定量以上になれば、給水手段の動作を可能とすることができ、貯水タンクから湯沸かし容器への給水が完全自動化できる。
【０００９】
請求項３に記載の発明は、貯水タンクは湯沸かし容器側に対し着脱自在とした請求項１に記載の電気湯沸かし器とすることで、貯水タンクへの給水等の際は、貯水タンクのみの運搬が可能となる。
【００１０】
請求項４に記載の発明は、貯水タンクの水位に連動して上下動するフロートは、貯水タンクまたは貯水タンク内の他の部品に案内される請求項１に記載の電気湯沸かし器とすることで、特別な部材を用いることなく確実に水位を検知でき、湯沸かし容器へ給水・停止ができる。
【００１１】
請求項５に記載の発明は、一つのフロートに対し水位検知手段を複数設けた請求項１に記載の電気湯沸かし器とすることで、貯水タンクの水量をより精度良く検知することができ、細かい給水制御ができる。
【００１２】
請求項６に記載の発明は、磁力検出手段である水位検知手段はリードスイッチまたはホール素子を用いた請求項１に記載の電気湯沸かし器とすることで、貯水タンクの水位検知において、高い信頼性を確保することができる。
【００１３】
請求項７に記載の発明は、貯水タンクは湯沸かし容器側に対し着脱自在とし、貯水タンク側に磁石を、湯沸かし容器側に前記磁石の有無を検知する貯水タンク検知手段を設けた請求項１に記載の電気湯沸かし器とすることで、貯水タンクがない場合には、貯水タンクに関するあらゆる制御を停止することが可能になる。
【００１４】
請求項８に記載の発明は、フロートの磁石位置を検出する水位検知手段が、貯水タンク検知手段を兼ねた請求項７に記載の電気湯沸かし器とすることで、貯水タンク検知手段が簡素化できる。
【００１５】
【実施例】
以下、本発明の実施例について、図面を参照しながら説明する。
【００１６】
（実施例１）
本発明の実施例１における電気湯沸かし器について図１を参照しながら説明する。
【００１７】
図において、湯沸かし容器１に収容されている液体２は、加熱手段である発熱体３により所定温度まで加熱され保温される。所定温度まで加熱された液体２は導出手段であるポンプ１０によって導出路１１を通り導出口１２より器体外へ導かれる。湯沸かし容器１の上部開口部は、蓋体５で覆われており、蓋体５には容器内で発生した蒸気を器体外部に導く蒸気口５ａを設けている。湯沸かし容器１の液体２が導出により一定量まで低下すると、貯水タンク２０に収容されている液体２が給水路２１を通り給水口２２より一定量追加される。追加される液体は断続的もしくは連続的に所定の量まで注がれる。湯沸かし容器１の上方に貯水タンク２０が配置されている以外は、給水路２１中に給水手段である給水ポンプ２３を設ける必要がある。湯沸かし容器１の上方に貯水タンク２０が配置されている場合は、給水手段としては給水ポンプ２３でなく給水弁が必要となる。貯水タンク２０は湯沸かし容器１側に対して着脱可能であり、貯水タンク２０への給水等の際は、貯水タンク２０のみの運搬を可能としている。
【００１８】
給水ポンプ２３の駆動は制御手段である制御部４で行われ、制御部４は湯沸かし容器１もしくは導出路１１に設けられた水位センサ１３によって検知した液量に応じて必要量まで給水ポンプ２３を駆動させる。制御部４は液量に応じて一定時間、給水ポンプ２３を駆動させてもよい。貯水タンク２０内には内部にインサート成型等で磁石５１を有するフロート５０が上下摺動自在に配置されている。フロート５０は磁石５１を含んだ状態で比重が１．０未満であるか、形状的に比重が１．０未満になるように発泡もしくは中空の形状としている。フロート５０は貯水タンク２０内水量に応じて上下に動揺する。フロート５０は、貯水タンク２０または貯水タンク２０内の他の部品に案内される。
【００１９】
本実施例では、給水ポンプ２３からの揚水パイプ２３ａに案内されるようにしており、これに設けたフロートストッパー５３により位置規制されるようになっている。
【００２０】
またフロート５０の近傍で湯沸かし容器１側の定位置に磁力検出手段である水位検知手段５２を設け、水量によって上下動するフロート５０位置を磁石５１の磁力との関係で検出する。貯水タンク２０の水量が所定量１（本実施例では約４００ｍＬ）以上になったとき、水位検知手段５２が検知可能位置である位置にフロートストッパー５３によりフロート５０が停止する。
【００２１】
また、貯水タンク２０の水量が所定量２（本実施例では約１００ｍＬ）以下になったとき、水位検知手段５２が検知不能位置にあるように設けた。
【００２２】
給水ポンプ２３の駆動は、貯水タンク２０の水量の有無により、制御手段である制御部４で行われ、所定量１以上で給水ポンプ２３を駆動させ、所定量２以下で給水ポンプ２３を停止させる。
【００２３】
上記構成により、直ちに必要な液体２を湯沸かし容器１に供給して加熱・保温を行い、予備タンクである貯水タンク２０には、今後湯沸かしを行う液体を貯蔵することで、消費電力を低減し、また給水は貯水タンク２０に行うことで熱水や蒸気に対する注意が不要となり、さらに給水は貯水タンク２０に行うことで、熱水や蒸気に対する注意が不要となり、またを湯沸かし容器１に所定量以上給水されることをなくすことが可能になる。
【００２４】
また、貯水タンク２０の水量の有無が確実に判断できることで、貯水タンク２０の水量が低下した場合の報知および湯沸かし容器１への完全給水自動化が可能となる。
【００２５】
（実施例２）
次に、本発明の実施例２における電気湯沸かし器について図１を参照しながら説明する。
【００２６】
実施例１においても触れたが、フロート５０は、貯水タンク２０または貯水タンク２０内の他の部品に案内されるものである。
【００２７】
例えば、貯水タンク２０内壁に縦方向に設けた案内リブに案内されてフロート５０が上下するようにしてもよく、また図に示すように給水ポンプ２３からの揚水パイプ２３ａに案内されるようにしてもよい。その他、フロート５０を案内するようにフロート部分の貯水タンク２０形状を構成する等、種々の構成が考えられるものであるが、特に限定されるものではない。
【００２８】
以上の構成により、特別な部材を用いることなくフロート５０を案内することができ、確実に水位を検知し、湯沸かし容器１へ給水、停止ができる。
【００２９】
（実施例３）
次に、本発明の実施例３における電気湯沸かし器について図１を参照しながら説明する。
【００３０】
本実施例においては、磁力検出手段である水位検知手段５２はリードスイッチまたはホール素子を用いたものである。
【００３１】
これにより、貯水タンク２０の磁力による水位検知において、高い信頼性を確保することができ、湯沸かし容器１へ給水、停止ができる。
【００３２】
（実施例４）
次に、本発明の実施例４における電気湯沸かし器について図２を参照しながら説明する。
【００３３】
本実施例においては、一つのフロート５０に対し水位検知手段５２を複数設けたものである。例えば、水位検知手段５２の一つは、貯水タンク２０の水量が所定量１（約４００ｍＬ）、他は、貯水タンク２０の水量が所定量２（約１００ｍＬ）における磁石５１の対峙する位置にそれぞれ配置している。
【００３４】
これにより、貯水タンク２０の水量をより精度良く検知することができ、細かい給水制御や報知または残水表示等が可能となる。
【００３５】
（実施例５）
次に、本発明の実施例５における電気湯沸かし器について図３を参照しながら説明する。
【００３６】
本実施例においては、湯沸かし容器１側に対し着脱自在な貯水タンク２０には、貯水タンク検知用の磁石５１を、湯沸かし容器１側には前記磁石５１の有無を検知する貯水タンク検知手段５５を設けたものである。
【００３７】
これにより、貯水タンク２０がない場合、すなわち、給水等で所定位置にセットされていない場合には、貯水タンク２０に関するあらゆる制御を停止することが可能になる。従って、安全使用ができるものである。
【００３８】
（実施例６）
次に、本発明の実施例６における電気湯沸かし器について図３を参照しながら説明する。
【００３９】
本実施例においては、実施例５における貯水タンク検知手段５５は、フロート５０の磁石５１位置を検出する水位検知手段５２で兼ねたものである。すなわち、貯水タンク検知手段５５を省略し、一つの水位検知手段５２で水位検知と貯水タンク検知を行うようにしたものである。
【００４０】
これにより、貯水タンク検知手段が簡素化でき、電気湯沸かし器全体としても簡素なものとなる。
【００４１】
【発明の効果】
以上のように、本発明の電気湯沸かし器によれば、必要量の液体のみを加熱・保温することで消費電力を低減し、また給水は熱水や蒸気に対する注意を不要とし、さらに湯沸かし容器への給水自動化が可能なものである。
【図面の簡単な説明】
【図１】本発明の実施例１〜３における電気湯沸かし器の縦断面図
【図２】本発明の実施例４における電気湯沸かし器の縦断面図
【図３】本発明の実施例５、６における電気湯沸かし器の縦断面図
【図４】従来の電気湯沸かし器の側面図
【符号の説明】
１　湯沸かし容器
２　液体
４　制御部
２０　貯水タンク
２１　給水路
２２　給水口
２３　給水ポンプ
５０　フロート
５１　磁石
５２　水位検知手段
５５　貯水タンク検知手段
【図１】
2004089252.tif 000003
【図２】
2004089252.tif 000004
【図３】
2004089252.tif 000005
【図４】
2004089252.tif 000006